(57)【要約】【課題】性質の異なる金券や発行母体の異なる複数の金券、また発行母体の異なる複数のポイントを同じプラットフォームで取り扱う事を可能にして、金券の利便性を高める。【解決手段】無額面金券から金券ＩＤが入力されたときに、金券管理データベースにアクセスしてそれに関連付けられた金券価値情報を読み出し、ポイント管理データベースにアクセスして、当該無額面金券を所持する会員のユーザＩＤに関連付けられた金券価値情報をポイントの残高値に変換して加算し、額面入金券から金券ＩＤと金券価値情報が入力されたときに、前記ポイント管理データベースにアクセスして、当該額面入金券を所持する会員のユーザＩＤに関連付けられた金券価値情報をポイントの残高値に変換して加算するようにした。【選択図】図１
2007310742.tif 000002
【特許請求の範囲】
【請求項１】
紙媒体として発行された金券の紙面に印刷された情報に基づいて当該金券の交換価値を管理する金券管理システムであって、
ユーザＩＤが付与された会員の所持する無額面金券から、少なくとも金券ＩＤを入力する手段と、
同じくユーザＩＤが付与された会員が所持する額面入金券から、少なくとも金券ＩＤと金券価値情報とを入力する手段と、
前記で入力された金券ＩＤと、金券価値情報とを関連付けて管理する金券管理データベースと、
ユーザＩＤとパスワードと配送先情報とを関連付けて管理する会員情報データベースと、
前記会員毎に口座ＩＤと前記ユーザＩＤと残高値とを関連付けて管理するポイント管理データベースとからなり、
前記無額面金券から金券ＩＤが入力されたときに、前記金券管理データベースにアクセスしてそれに関連付けられた金券価値情報読み出し、ポイント管理データベースにアクセスして、当該無額面金券を所持する会員のユーザＩＤに関連付けられた前記金券価値情報をポイントの残高値に変換して加算し、
前記額面入金券から金券ＩＤと金券価値情報が入力されたときに、前記ポイント管理データベースにアクセスして、当該額面入金券を所持する会員のユーザＩＤに関連付けられた前記金券価値情報をポイントの残高値に変換して加算する、金券情報制御手段とからなる金券管理システム。
【請求項２】
前記に加えて、ユーザＩＤとポイントとを入力する手段を有しており、
前記金券情報制御手段は、前記ポイントが入力されたときに、前記ポイント管理データベースにアクセスし、当該ユーザＩＤに関連付けられたポイントの残高値に前記入力されたポイントを加算することを特徴とする請求項１記載の金券管理システム。
【請求項３】
前記に加えて、商品ＩＤと、商品価格と、商品の説明や画像等からなる商品詳細情報とが関係付けられて登録された商品情報管理データベースを有しており、
前記金券情報制御手段は、ユーザＩＤが入力されると、前記ポイント管理データベースにアクセスし、当該ユーザＩＤに関係付けられたポイントの残高値を読み出し、
次いで商品情報管理データベースにアクセスして、前記残高値で入手可能な商品ＩＤに関連付けられた商品詳細情報の一覧を表示手段に表示することを特徴とする請求項１または２に記載の金券管理システム。
【請求項４】
前記表示手段は、前記残高値とは無関係に商品情報管理データベースから商品ＩＤとそれに関連付けられた商品詳細情報の一覧を表示し、
前記商品ＩＤが指定されたときに、前記ポイント管理データベースにアクセスし、当該ユーザＩＤに関連付けられたポイントの残高値を読み出し、
前記ポイントの残高値が前記で指定された商品ＩＤに関係付けられた交換可能なポイント値に満たないときには、不足分をクレジット決済するための決済サーバへのアクセスを誘導する請求項３記載の金券管理システム。
【発明の詳細な説明】
【技術分野】
【０００１】
本発明は、商品券、ギフトカード等の金券を統合的に管理する金券管理システムに関する。
【背景技術】
【０００２】
商品券、ギフトカード、各種プリペイドカード等を総称して金券という。このような金券は、商品やサービスとの交換価値を有することから現金と等価値を有しており、今後電子化されることとも相まって普及することが予想される。
【０００３】
ところで、金券といっても、交換可能な商品を一定の種類に限定した商品券や、デパート毎に発行される商品券、交換価値の記載されていないギフトカード等、多種のものがある。
【０００４】
特に、商品の交換価値（たとえばポイントやビール何本）が記載された金券を額面入金券といい、結婚式の引き出物等で配布される贈答ギフト等のように、金券面には交換価値の記載されていないものを無額面金券と呼んでいる。
【特許文献１】特開２００３−２０３１８３号公報
【発明の開示】
【発明が解決しようとする課題】
【０００５】
金券はこのように、額面金券、無額面金券、特定の商品や用途専用金券に分かれており、さらに発行母体によっても互換性がないのが通常であった。このように金券はその性質によって用途が限られているため、貨幣よりも手軽であるにもかかわらず普及していないのが現状である。
【０００６】
本発明は、このような点に鑑みてなされたものであり、性質の異なる金券や発行母体の異なる複数の金券、また発行母体の異なる複数のポイントを同じプラットフォームで取り扱う事を可能にして、金券の利便性を高めることを技術的課題とする。
【課題を解決するための手段】
【０００７】
前記課題を解決するために、本発明では、以下の手段を採用した。
【０００８】
本発明の請求項１は、紙媒体として発行された金券の紙面に印刷された情報に基づいて当該金券の交換価値を管理する金券管理システムであって、ユーザＩＤが付与された会員の所持する無額面金券から、少なくとも金券ＩＤを入力する手段と、同じくユーザＩＤが付与された会員が所持する額面入金券から、少なくとも金券ＩＤと金券価値情報とを入力する手段と、前記で入力された金券ＩＤと、金券価値情報とを関連付けて管理する金券管理データベースと、ユーザＩＤとパスワードと配送先情報とを関連付けて管理する会員情報データベースと、前記会員毎に口座ＩＤと前記ユーザＩＤと残高値とを関連付けて管理するポイント管理データベースとからなり、前記無額面金券から金券ＩＤが入力されたときに、前記金券管理データベースにアクセスしてそれに関連付けられた金券価値情報読み出し、ポイント管理データベースにアクセスして、当該無額面金券を所持する会員のユーザＩＤに関連付けられた前記金券価値情報をポイントの残高値に変換して加算し、前記額面入金券から金券ＩＤと金券価値情報が入力されたときに、前記ポイント管理データベースにアクセスして、当該額面入金券を所持する会員のユーザＩＤに関連付けられた前記金券価値情報をポイントの残高値に変換して加算する、金券情報制御手段とからなる金券管理システムである。
【０００９】
このように、データベースを金券管理データベースと会員情報データベースとポイント管理データベースとで構成することによって、ユーザＩＤに関連付けられてさえいれば額面金券と無額面金券とを統一的に管理することが可能となる。したがって、たとえば結婚式の引き出物として入手したギフトカードではポイントが不足しておりユーザが希望する商品が入手できない場合に、額面金券によってポイントを補完して希望商品を入手することも可能となる。このように従来は不可能だった無額面金券の合算も可能となる。
【００１０】
請求項２は、前記に加えて、ユーザＩＤとポイントとを入力する手段を有しており、前記金券情報制御手段は、前記ポイントが入力されたときに、前記ポイント管理データベースにアクセスし、当該ユーザＩＤに関連付けられたポイントの残高値に前記入力されたポイントを加算することを特徴とする請求項１記載の金券管理システムである。
【００１１】
このように外部のシステム、たとえばブログのアフィリエイトシステム等から蓄積したポイントを交換してポイント管理データベースに蓄積することができるようにして利便性を高めたものである。
【００１２】
請求項３は、前記に加えて、商品ＩＤと、商品価格と、商品の説明や画像等からなる商品詳細情報とが関係付けられて登録された商品情報管理データベースを有しており、前記金券情報制御手段は、ユーザＩＤが入力されると、前記ポイント管理データベースにアクセスし、当該ユーザＩＤに関係付けられたポイントの残高値を読み出し、次いで商品情報管理データベースにアクセスして、前記残高値で入手可能な商品ＩＤに関連付けられた商品詳細情報の一覧を表示手段に表示することを特徴とする請求項１または２に記載の金券管理システムである。
【００１３】
このように商品情報管理データベースを有することにより、当該ユーザのポイント保有残高に応じた商品をディスプレイ装置等の表示手段に表示し、注文を受け付けることが可能となる。
【００１４】
請求項４は、前記表示手段は、前記残高値とは無関係に商品情報管理データベースから商品ＩＤとそれに関連付けられた商品詳細情報の一覧を表示し、前記商品ＩＤが指定されたときに、前記ポイント管理データベースにアクセスし、当該ユーザＩＤに関連付けられたポイントの残高値を読み出し、前記ポイントの残高値が前記で指定された商品ＩＤに関係付けられた交換可能なポイント値に満たないときには、不足分をクレジット決済するための決済サーバへのアクセスを誘導する請求項３記載の金券管理システムである。
【００１５】
すなわち、ポイント値が希望商品に対して不足している場合には、不足分をクレジット決済可能としている。
【発明の効果】
【００１６】
本発明によれば、額面金券、無額面金券、専用金券、他社金券  自社発行ポイント、他社発行ポイントなどの性質の異なる金券や発行母体の異なる複数の金券、また発行母体の異なる複数のポイントを同じプラットフォームで取り扱う事ができるため、金券の利便性が高まる。
【発明を実施するための最良の形態】
【００１７】
図１はシステム全体の概略図である。
【００１８】
同図に示すように、後述する入力端末を介して（図１では図示せず）自社の無額面金券と自社の額面金券とが入力されると、ネットワークを介してサーバの金券管理データベー
スに登録されるようになっている。また、その前提として会員は図示しない端末装置から個人名、住所等を登録するとユーザＩＤとパスワードとが発行され、会員情報管理データベースに登録されるとともに、ポイント管理データベースが生成され、口座ＩＤによって当該ユーザのポイントが管理されるようになっている。
【００１９】
また、データベース群にはその他に、商品情報管理データベース、受注出荷管理データベースが登録されている。これらのデータベースの詳細は図３に示す。
【００２０】
本システムには、ポイントエクスチェンジサーバが設けられており、ネットワーク上の他のサーバシステム、たとえばブログのアフィリエイトシステム等からユーザＩＤに関連付けられたポイントが入力され、これが本システムのポイントに変換されてポイント管理データベースに登録されるようになっている。
【００２１】
また、発行母体の異なる他社金券については、金券エクスチェンジサーバに接続された端末を介してオペレータ等の入力処理により、ユーザのＩＤに関連付けられたポイントに変換されたポイントデータベースに登録されるようになっている。
【００２２】
この概略をさらに詳細に示したものが図２である。
【００２３】
図３は、本実施形態で用いられるデータベースの内部データ構造を示している。
【００２４】
金券管理データベースは、金券ＩＤをインデックスとして、発行形態、金券価値（ポイント）、有効期限、メッセージ、有効フラグ等が関係付けられて登録されている。
【００２５】
発行形態とは、紙媒体、電子情報等の区別であり、有効フラグは当該金券の有効・無効を示すフラグである。すなわち当該金券の使用前は有効であり、使用後は無効となる。
【００２６】
ポイント管理データベースは、口座ＩＤをインデックスとして、ユーザＩＤ、表示残高、非表示残高、残高合計、有効期限等が関係付けられて登録されている。
【００２７】
残高に表示残高と非表示残高とがあるのは、無額面金券で入力されたポイントが、贈答用であった場合、受け取ったユーザが当該無額面金券そのものの価値（真のポイント値）を知ってしまうことを防止するためのものである。表示残高には額面金券として入力されたポイントのみが表示されるようになっている。したがって残高合計は、表示残高と非表示残高とを合計した値となる。
【００２８】
会員情報管理データベースは、ユーザＩＤをインデックスとして、パスワード、氏名、配信先（住所）、バージョンが関係付けられて登録されている。
【００２９】
商品情報管理データベースには、商品ＩＤをインデックスとして、商品名、商品価格（入手可能ポイント）、商品サプライヤ、商品画像、商品カテゴリ、商品説明や商品画像からなる商品詳細、商品在庫数等が関係付けられて登録されている。
【００３０】
受注出荷管理データベースには、受注ＩＤをインデックスとして、ユーザＩＤ、商品ＩＤ、注文金額、ポイント残高、支払方法、支払状況、配送状況等が関係付けられて登録されている。
【００３１】
本実施形態の金券管理システムは、金券管理サーバで運用されており、図示は省略するが、中央管理装置（ＣＰＵ）を中心にバス（ＢＵＳ）を介して接続されたメインメモリ（ＭＭ）、ハードディスク装置（ＨＤ）等の大規模記憶装置、キーボード（ＫＢＤ）等の入
力装置、ディスプレイ装置（ＤＩＳＰ）等の表示装置を有している。そして、ネットワークインターフェース（ＮＷ  Ｉ／Ｏ）を介してインターネット等の汎用ネットワーク（ＮＷ）に接続されている。また、当該バス（ＢＵＳ）には、前述の各データベースが接続されている。なお、これらの各データベースは本金券管理サーバとは別にネットワーク（ＮＷ）に接続されたデータベースサーバによって管理されているものであってもよい。
【００３２】
前記ハードディスク装置（ＨＤ）には、オペレーティングシステムとともに、金券管理プログラムが登録されており、この金券管理プログラムがバス（ＢＵＳ）を介してメインメモリ（ＭＭ）に読み込まれて順次中央処理装置（ＣＰＵ）で実行処理されることによって、以下に説明する金券管理が実行可能となっている。
【００３３】
まず、新たに金券が発行されると、金券データベースに金券ＩＤ、発行形態、金券価値、有効期限、メッセージが登録される。ここで、メッセージとは、金券が使用される際に、受け取り側の相手先ユーザに対して発信したい情報(例：誕生日おめでとう！、商品広
告など)を意味する。このようにして登録された情報をもとに、紙媒体の金券が発行され
る。なお、当該金券の出荷時、または定められたタイミングで、ユーザが金券を使用する前までに、金券を有効化(有効フラグのステータスを変更)する。
【００３４】
次に、ユーザがログインしてからの処理手順を図５を用いて説明する
まず、予め金券データベースに登録された金券を保持するユーザは、指定されたWebサ
イト、または携帯電話のサイトにアクセスすることでこのシステムを利用することができる。なお、電話等で受付を行い、オペレータが作業を代行してもよい。
【００３５】
ログイン時において、新規のユーザにはユーザＩＤとパスワードが発行される。このときにデータベースに新たなユーザＩＤが登録される。
【００３６】
また、ユーザＩＤとパスワードとを登録している会員ユーザは、当該ユーザＩＤとパスワードとで金券管理サーバにログインする
次に、ユーザが保持している金券に記載されている金券ＩＤを入力すると、中央処理装置（ＣＰＵ）は、金券データベースにアクセスして、当該金券ＩＤが既に登録されているか、有効期限を過ぎていないか、有効フラグは使用できる状態にあるかを検証する。
【００３７】
一方、外部からのポイントは、他社ポイントからの振替含め、ポイントエクスチェンジサーバを経由してポイント管理データベースに登録される。
【００３８】
また、有効な金券については、金券の価値がポイント管理データベースに移行され、金券ＩＤは無効化される。その際、額面入金券、ポイントは「表示残高」、無額面金券は「非表示残高」として登録される。
【００３９】
以上のようにして、金券管理データベース、ポイント管理データベース、会員情報管理データベースが構築される。
【００４０】
本実施形態によれば、このように、無額面金券、額面金券、ポイント等のその金券の性質、種類、発行母体にかかわらず、統一的に管理されることになる。  
【００４１】
次に、ユーザが蓄積したポイントを使って商品の注文を行う場合を図６〜図９を用いて説明する。
【００４２】
まず、金券管理サーバは、ユーザからの商品検索リクエストを受け付ける。具体的には、ネットワークに接続されているユーザ端末（パーソナルコンピュータや、携帯電話端末
等）に対して、商品名、価格帯、カテゴリをＣＧＩを介して入力させるとともにこれらの情報を受信する。金券管理サーバの中央処理装置（ＣＰＵ）は、商品情報管理データベースにアクセスして、受信した商品名、価格帯、カテゴリに適合する商品で、かつ在庫数が0でないものを抽出する。このように抽出された検索結果情報は、図示しないテンポラリ
データベース、または金券管理サーバのハードディスク装置の一時記憶領域に一旦蓄積される。すなわち、この段階では、検索結果情報はまだユーザには開示されない。
【００４３】
次に、中央処理装置（ＣＰＵ）は、ポイント管理データベースにアクセスして、ユーザの保持するポイント（金券）の総額を計算する。そして、この総額を前記のテンポラリデータベースまたは一時記憶領域に保持されている各商品の商品価格を比較する。そして、ポイント（金券）総額から各商品の商品価格を減算し、それを新たな交換可能ポイントとして商品の写真画像とともに図８に示すような表示画面情報を生成する。
【００４４】
そして、この表示画面情報をネットワークを介してユーザ端末に送信する。
【００４５】
次に、ユーザが表示画面情報を参照して、商品を選択すると（注文すると）、受注出荷管理データベースの受注ＩＤが発行され、ユーザＩＤ、商品ＩＤが関連付けられて、注文金額(注文された商品価格の合計)、金券使用額(追加現金額でもよい)が計算される。
【００４６】
次に、商品は、ユーザが選択した支払方法(クレジットカード決済、コンビニ支払、銀
行・郵便局振込、電子マネーでの決済など)での支払が確認された時点で中央処理装置（
ＣＰＵ）から出荷指示が図示しない配送サーバに送信される。
【００４７】
そして、中央処理装置（ＣＰＵ）は、ユーザからの支払が確認された時点で、使用された金券の有効フラグを変更し、金券の無効化処理を行なう。また、同時に商品情報データベースにある商品在庫数の減算処理を行う。
【００４８】
次に、金券の購入時において、前記で説明した各データベースとどのように関連付けられているのか、一連の処理を示したものが図１０である。
【００４９】
ここでは、金券管理データベースに対して、「金券情報付加」ステップにおいて、購入する金券（ＩＤ）の属性情報として金券の種別（無額面、額面入）や交換対象商品メッセージの付加などが行える。また、「配送設定」ステップにおいて、郵送（カード）、メール、グリーティングカードなどの配送手段、配送スケジュール配送先などが設定できる。そのため、たとえば、誕生日のお祝いとして３０００円の金券を購入し、配送する場合に、『無額面の金券を購入し、交換対象商品は「生花」として、メールによる配送を行うようにし、その配送スケジュールは誕生日の２０：００とし、「○○さん  誕生日」のメッセージを金券の属性に付加するというようなことが可能となる。
【００５０】
図１１は、商品交換時における、各データベースとの関連を示した処理手順図である。
【００５１】
ここでは、「金券認証」ステップで認証された金券（ＩＤ）の属性により「商品検索  選択」ステップで対象となる商品が決定し  その金額（対価）の表示方法も決定される。また、金券にメッセージが付加されている場合は、そのメッセージを表示することが可能となる。
【００５２】
ここで、無額面金券のＩＤが認証された場合は、金券の価値は表示されない。そのときに、商品の対価表示は交換に必要な追加支払い額のみの表示になる。
【００５３】
また、額面入金券のＩＤが認証された場合は、金券の価値が表示される。このときに、
商品の対価表示は交換に必要な追加支払い額のみの表示になる。  
【００５４】
さらに、交換対象が特定の商品に限定された金券のＩＤが認証された場合は、その限定された商品のみが交換対象となる。このときにたとえば金券の贈与者が選択した商品のみが表示対象となる。
【００５５】
図１２は、ポイント交換時における、各データベースとの関連を示した処理手順図である。同図に示すように、他社発行のポイントを自社（電子金券開発株式会社）発行のポイントと設定された交換率で交換する事ができる。これにより、他社発行のポイントを自社サービスの決済において使用する事が可能になる。
【００５６】
図１３は、金券交換時における、各データベースとの関連を示した処理手順図である。同図に示すように、他社発行の金券を自社（電子金券開発株式会社）発行のポイントと設定された交換率で交換する事ができる。そしてこれにより、他社発行の金券を自社サービスの決済において使用する事が可能になる。
【産業上の利用可能性】
【００５７】
本発明は、金券の管理や金券による商品販売に利用できる。
【図面の簡単な説明】
【００５８】
【図１】実施形態のシステム全体の概略図である。
【図２】実施形態のシステム構成図である。
【図３】実施形態のデータベース構成図である。
【図４】金券管理サーバの処理手順を示す図である。
【図５】金券管理サーバのログイン手順を示す図である。
【図６】金券管理サーバの商品検索手順を示す図である。
【図７】金券管理サーバの商品価格演算および結果表示手順を示す図である。
【図８】ユーザ端末における表示画面を示す図である。
【図９】金券管理サーバの商品注文から配送の手順を示す図である。
【図１０】金券購入手順をデータベースと関連付けて説明した処理フロー図である。
【図１１】商品交換手順をデータベースと関連付けて説明した処理フロー図である。
【図１２】ポイント交換手順をデータベースと関連付けて説明した処理フロー図である。
【図１３】金券交換手順をデータベースと関連付けて説明した処理フロー図である。
【図１】
2007310742.tif 000003
【図２】
2007310742.tif 000004
【図３】
2007310742.tif 000005
【図４】
2007310742.tif 000006
【図５】
2007310742.tif 000007
【図６】
2007310742.tif 000008
【図７】
2007310742.tif 000009
【図８】
2007310742.tif 000010
【図９】
2007310742.tif 000011
【図１０】
2007310742.tif 000012
【図１１】
2007310742.tif 000013
【図１２】
2007310742.tif 000014
【図１３】
2007310742.tif 000015